(57)【要約】【解決手段】差動給電され、各々が第１及び第２の導電性アームによって構成されたダイポール型の少なくとも２つのアンテナを備えたダイバーシチアンテナシステムは、２つのアンテナが電子カード用の少なくとも１つのカバーを構成する第１のアームと呼ばれる共通アーム（１０）と、第１のアームの一端において回転するように装着された第２のアーム（１１，１２）の各々とを備えている。【選択図】図３
2009504042.tif 000002
【特許請求の範囲】
【請求項１】
差動給電され、各々が第１及び第２の導電性アームによって構成されたダイポール型の少なくとも２つのアンテナを備えたダイバーシチアンテナシステムであって、前記２つのアンテナが電子カード用の少なくとも１つのカバーを構成する第１のアームと呼ばれる共通アーム（１０，２０，３０，４０，５０）と、前記第１のアームの一端において回転するように装着された第２のアーム（１１，１２；２１，２２；３１，３２；４１，４２；５１，５２）の各々とを備えたことを特徴とするダイバーシチアンテナシステム。
【請求項２】
前記第１のアーム（１０，２０，３０，４０，５０）が、前記電子カードの挿入されるボックス形状を有していることを特徴とする請求項１に記載のシステム。
【請求項３】
前記第１及び第２のアームの各々が、λを中心動作周波数の波長とすると、λ／４に明らかに等しい長さを有していることを特徴とする請求項１又は２に記載のシステム。
【請求項４】
前記第２のアーム（１１，１２）が、前記第１のアーム（１０）の一端において、共通軸（１３）の回りを回転するように装着されていることを特徴とする請求項１から３のいずれか１項に記載のシステム。
【請求項５】
前記第２のアームが、同一の外形を有しており、前記第１のアームの面の１つの上に折り返すことができるように該第１のアームの外形と相補的であることを特徴とする請求項４に記載のシステム。
【請求項６】
前記第２のアーム（２１，２２；３１，３２；４１，４２；５１，５２）の各々が、前記第１のアーム（１０）の一端において、特殊な軸（２３，２４；３３，３４；４３，４４；５３，５４）の回りを回転するように装着されていることを特徴とする請求項１から３のいずれか１項に記載のシステム。
【請求項７】
前記第２のアーム（２１，２２）が、前記第１のアームによって構成される電子カード用ボックスの横壁に対応する同一の外形を有していることを特徴とする請求項６に記載のシステム。
【請求項８】
前記第２のアーム（３１，３２）が、前記第１のアームの面の１つの上に折り返すことができる相補的な外形を有していることを特徴とする請求項６に記載のシステム。
【請求項９】
前記電子カードが、各アンテナに給電するための少なくとも２つの接続ポート（１Ａ，１Ｂ）を一端に備えており、電子装置への接続ポート（１３０）を他端に備えていることを特徴とする請求項１から８のいずれか１項に記載のシステム。
【請求項１０】
請求項１から９のいずれか１項に記載のアンテナシステム用の支持体であって、装置への調整可能な取付け手段（２００）と、前記アンテナシステムのアームの１つを受容する手段（２１０）とを備えていることを特徴とする支持体。
【請求項１１】
前記調整可能な取付け手段が、調整可能な把持部を構成するように一方が他方に対して摺動する２つのＬ形状エレメント（２０１，２０３）からなることを特徴とする請求項１０に記載の支持体。
【請求項１２】
前記アンテナシステムのアームの１つを受容する手段が、前記アンテナシステムのアームの１つを受容する少なくとも１つの開口（２１１）を有するボックス形状のエレメント（２１０）からなることを特徴とする請求項１０又は１１に記載の支持体。
【請求項１３】
前記ボックス形状のエレメント（２１０）が、前記調整可能な取付け手段（２００）に対して回転する（２１２）ように取付けられていることを特徴とする請求項１０から１２のいずれか１項に記載の支持体。
【発明の詳細な説明】
【技術分野】
【０００１】
本発明は、少なくとも２つのダイポール型アンテナを備えたダイバーシチダイポールアンテナシステムに関する。より特定的には、本発明は、テレビジョン信号の受信用の、特に、一般にＰＣと呼ばれるラップトップコンピュータ、ＰＶＡ（パーソナルアシスタント）又は電磁信号を受信するアンテナシステムを必要とする他の同様な装置のような、携帯電子装置のデジタル信号受信用の、上述した型のアンテナシステムに関する。本発明は、さらに、携帯装置にアンテナシステムを取付け可能とするアンテナシステム用の支持体に関する。
【背景技術】
【０００２】
今日の市場には、地上波デジタルテレビジョン用又はＴＮＴ用の信号をラップトップコンピュータで直接受信できる機器商品が存在する。ラップトップコンピュータでの地上波デジタルテレビジョン信号の受信は、デジタルイメージを復号するために用いられるこのコンピュータの演算能力を有効にする。この機器は、２つのインタフェース、即ち内部又は外部のＶＨＦ−ＵＨＦアンテナとの接続用のＲＦ（無線周波数）インタフェース及びコンピュータとの接続用のＵＳＢインタフェース、を有するボックスとして最も多く市販されている。
【０００３】
現在市販されている装置は、ＵＳＢコネクタを備えた装置に装着されたホイップ型アンテナ又はループ型アンテナのような別個のアンテナによって通常は構成されている。
【０００４】
２００５年４月２０日に出願された仏国特許出願第２００５−００５１００９号に対応する特許文献１において、本願出願人は、ダイポール型アンテナから構成されており、ＵＨＦ帯全体をカバーするコンパクトな広帯域アンテナを提案している。このアンテナは、携帯装置に、特にＵＳＢ型コネクタを使用して接続可能な電子カードと付随している。
【０００５】
より特定的には、特許文献１に記載されているアンテナは、差動給電された第１及び第２の導電性アームを備えており、第１のアームと呼ばれる一方のアームは電子カード用の少なくとも１つのカバーを構成している。さらに特定的には、第１のアームは、ダイポール型アンテナによって受信した信号の処理回路を備えた電子カードが挿入されるボックス形状を有している。
【０００６】
【特許文献１】仏国特許公開公報第２８８４９７３号
【発明の開示】
【発明が解決しようとする課題】
【０００７】
しかしながら、この特許文献１に記載されたアンテナは、受信レベルに関しては良好な結果を提供できるが、特にビルディング内で受信する際の、マルチパスに関するフェージング現象による問題を解消することができない。マルチパスに加えて、信号は、ビルディング内に突き抜けて入るために著しい減衰を受ける。このような不都合は、携帯で受信する際に必ず遭遇するものである。これら不都合を解消するため、特にマルチパスの問題に関しての受信の厳しさを改善することができるダイバーシチアンテナをどのように用いるかは、この技術分野の当業者によって知られている。
【課題を解決するための手段】
【０００８】
従って本発明は、差動給電され、各々が第１及び第２の導電性アームによって構成されたダイポール型の少なくとも２つのアンテナを備えたダイバーシチアンテナシステムに関するものである。これら２つのアンテナは、電子カード用の少なくとも１つのカバーを構成する第１のアームと呼ばれる共通アームと、第１のアームの一端において回転するように装着された第２のアームの各々とを備えている。
【０００９】
本発明の第１の態様によれば、第２のアームが、第１のアームの一端において、共通軸の回りを回転するように装着されており、好ましくは、第２のアームが、互いに同一の外形を有しており、第１のアームの面の１つの上に折り返すことができるようにこの第１のアームの外形と相補的な外形を有している。
【００１０】
本発明の第２の態様によれば、第２のアームの各々が、第１のアームの一端において、特殊な軸の回りを回転するように装着されている。この場合、第２のアームが、第１のアームによって構成される電子カード用ボックスの横壁に対応する同一の外形を有している。第２のアームが、第１のアームの上側及び／又は下側面の１つ上に折り返すことができる相補的な外形を有することもあり得る。
【００１１】
本発明の他の特徴点によれば、第１のアームが、電子カードの、より特定的にはアンテナによって受信された信号を処理するため及びそれらをラップトップコンピュータ又はこれと同様な装置のような携帯ディスプレイ装置へ送るために用いられる電子カード、の挿入されるボックス形状を有している。このため、電子カードは、システムの各アンテナに給電するための少なくとも２つの接続ポートを一端に備えており、ラップトップコンピュータ又はこれと同様な装置のような携帯電子装置への接続を可能とする例えばＵＳＢコネクタによって構成される接続ポートを他端に備えている。
【００１２】
さらに他の特徴点によれば、本発明は、携帯装置への調整可能な取付け手段と、取付け手段に回転するように装着されており、アンテナシステムの第１のアームを受容する手段とを備えているアンテナシステム用の支持体に関する。
【００１３】
本発明における他の特徴及び効果は、添付図面を参照して説明される種々の実施形態に関する以下の詳細な説明から明らかとなるであろう。
【発明を実施するための最良の形態】
【００１４】
本出願人によって出願された特許文献１に基づいて、ラップトップコンピュータ上で地上波デジタルテレビジョン信号を受信するために使用可能なダイポール型アンテナの実施形態について、まず、図１及び図２を参照して説明する。
【００１５】
図１に示すように、このダイポール型アンテナは、第１の導電性アーム１及び第２の導電性アーム２を備えており、これらアームはそれらの一端に位置する連結領域３によって互いに接続されている。より特定的には、アーム１は、明らかな矩形形状の部分１ａを備えた明らかなボックスの形状を有している。この部分１ａは湾曲した部分１ｂによって延長されており、徐々に開くことによってエネルギが徐々に輻射され、より広い周波数帯域に渡ってインピーダンスマッチングが増大することとなる。アーム１の長さは明らかにλ／４に等しい。ただし、λは中心動作周波数の波長である。従って、アーム１の長さは、ＵＨＦ帯域（４７０〜８６２ＭＨｚの帯域）で動作させるため、１１２ｍｍにほぼ等しい。
【００１６】
図１に示すように、アンテナは、このアンテナと信号処理回路との連結点でもある軸３に関して回転するように装着された第２のアーム２を備えている。アンテナの電気的接続は、例えば同軸ケーブル又はこれに類似したケーブルである金属ストランドによってなされ、この回転軸は電磁波を比較的透過する材質で形成されている。図１には、アーム２の種々の方向が示されている。即ち、参照番号２０で示されており水平に対して角度α＝０°をとるアーム２の第１の方向、参照番号２１で示されており角度α＝３０°の第２の方向、参照番号２２で示されており角度α＝４５°の第３の方向、参照番号２３で示されており角度α＝６０°の第４の方向、及び参照番号２４で示されており角度α＝９０°の第５の方向である。長さが明らかにλ／４に等しいアーム２は、湾曲した外形とこれに続く平坦な矩形部分を有しており、これによりアーム２は、アーム１に対して接近した位置で完全に折り返すことができるように構成されている。このアーム２はアーム１に対して回転するように装着されており、これによってテレビジョン信号の受信を最適化するようにアーム２の方向を修正可能となる。
【００１７】
図２は、図１に示すアーム２の種々の位置における、図１に示すアンテナについてシミュレートした周波数６６０ＭＨｚでのアンテナ輻射パターンを示している。これら輻射パターンはアームの傾斜に従って傾いている。この傾斜は、デジタルテレビジョン信号の受信を最適化する。
【００１８】
図１及び図２を参照して述べたアンテナの基本思想を用いて実現した本発明によるダイバーシチアンテナシステムの第１の実施形態について、図３及び図４を参照して以下説明する。
【００１９】
図３に示すように、本発明によるアンテナシステムは、このアンテナによって受信された信号が処理されることを可能にする電子カードの少なくともカバー１０ａを構成する第１の共通アーム１０を備えた２つのアンテナを備えている。図示した実施形態では、共通アーム１０は、上側部分又はエレメント生成カバー１０ａと、下側部分１０ｂとを備えており、これらの組立体が受信した信号を処理する電子カードを受けるボックスを形成している。図３に示すシステムについて、以下の条件でシミュレーションを行った。１）使用した材料は導電率４．９×１０７Ｓ／ｍの銅であり、２）アーム１１の長さは１１２ｍｍにほぼ等しく、３）部分１０ａ、１０ｂ、１１、１２の曲率半径は３１ｍｍであり、４）アーム１０、１１及び１２の幅は幅２０ｍｍの電子カードが挿入可能なように、約２５ｍｍである。ソフトウエアＩＥ３Ｄを用い、公知の方法で行われたシミュレーションの結果が図４〜図８に示されている。
【００２０】
図４は、図３のアンテナシステムにおいて、２つの第２のアームが第１のアームに対してそれぞれ角度α１＝０°及びα２＝９０°の場合、即ち第２のアーム１１が第１のアーム１０に対して水平方向に向いており、第２のアーム１２が第１のアーム１０に対して垂直方向に向いている場合、のインピーダンスマッチング特性Ｓ（１，１）及びＳ（２，２）並びにアイソレーション特性Ｓ（２，１）を表わしている。なお、これら特性は、インピーダンスマッチングエレメントがないシステムについてシミュレートしたものである。この場合、インピーダンスマッチングが、インピーダンスマッチングエレメントを用いることによって改善できる比較的狭い帯域で実現されていることをこれら特性は示している。このインピーダンスマッチングエレメントは、通常、ＬＣ回路で構成される。インピーダンスマッチングエレメントがある場合のインピーダンスマッチング特性及びアイソレーション特性が図５に示されている。この場合、インピーダンスマッチングがより広い周波数帯域に対して行われる。
【００２１】
第１のアーム１０及び第２のアーム１１で構成される第１のアンテナと、第１のアーム１０及び第２のアーム１２で構成される第２のアンテナとの間のアイソレーションは、特に第１のアンテナの垂直偏波及び第２のアンテナの水平偏波と、図６に示すような輻射パターンの強い非相関性とを考慮すると、顕著なダイバーシチゲインを提供するに十分である。
【００２２】
図６の輻射パターンは、２つの第２の枝（アーム）１１及び１２が互いに垂直に配置されている場合における、２つのアクセス間の最大の分離及び最適の非相関性を示している。従って、本発明の有利な特性によれば、２つのアーム１１及び１２は、第１のアンテナ、例えば第１の共通アーム１０及び第２のアーム１１によって構成されるアンテナ、の角度αに関係なく互いに垂直な位置に維持される。
【００２３】
図７はα１＝０°及びα２＝９０°の場合の全ＵＨＦ帯域幅における図３のアンテナシステムの効率を示しており、図８は同じアンテナシステムの２つのアクセスのゲインを示している。この場合、アンテナシステムの効率は、ほぼ全ＵＨＦ帯域幅にわたって５０％を越えており、これは要求される性能を満足させる。全ＵＨＦ帯域幅にわたってのほぼ０ｄＢｉの平均ゲインは、効率が５０％のこの型アンテナの指向性３ｄＢｉに相当する。
【００２４】
次に、本発明のアンテナシステムの他の実施形態を、図９〜図１１を参照して説明する。
【００２５】
図９に示すように、このアンテナシステムは、両方のアンテナに共通の第１のアーム２０から構成される２つのダイポール型アンテナを備えている。各アンテナは、第１のアームの一端に回転できるように装着された第２のアーム２１及び２２を備えている。第２のアーム２１及び２２の各々は、２つの別個の回転軸２３及び２４の回りを独立して旋回する。この実施形態においては、２つのアーム２１及び２２は、以下により詳しく説明するように、第１の共通アーム２０の側面壁を構成することができる。
【００２６】
前の実施形態のように、第１の共通アーム２０は、例えば、アンテナシステムによって受信した又は輻射される電磁信号を処理するように意図された電子カード用のボックスを形成する矩形形状の部分２０ａを備えている。矩形形状の部分２０ａは、湾曲した部分２０ｂによって延長されており、徐々に開いている。２つの第２のアーム２１及び２２は、第１の導電性アーム２０の側面部分に適合する外形を有している。より正確には、これらアームは、湾曲した部分によって延長された明らかに矩形形状の部分を有している。
【００２７】
図９の部分Ａに示されているように、アーム２１及び２２は、第１のアーム２０に対して角度α１及びα２の方向に向けることができる。これら角度α１及びα２は、第２のアーム２２及びアーム２０間の開き角並びに第２のアーム２１及びアーム２０間の開き角をそれぞれ表わしている。２つの回転軸２３及び２４は、互いに離れており、従って、輻射ダイバーシチに加えて、ダイポール２１及び２０並びに２２及び２０によって構成される２つのアンテナのスペース的分離に関連するスペースダイバーシチが観察される。
【００２８】
これは、図１０及び図１１の輻射パターンでより明確に観察される。図１０は２つのアーム２０及び２１並びに２０及び２２間の角度α＝α１＝α２＝１３５°の場合のポート１及びポート２の輻射パターンを表わし、図１１は２つのアーム２０及び２１並びに２０及び２２間の角度α＝α１＝α２＝９０°の場合のポート１及びポート２の輻射パターンを表わしている。
【００２９】
図１２の部分Ａにおいては、第１の共通アーム２０並びに２つの第２のアーム２１及び２２を備えたアンテナシステムがより正確に示されている。これら第２のアームは、第１のアームに対して角度α＝α１＝α２＝９０°で位置している。同様に、図１２の部分Ｂにおいては、同一のアンテナシステムが示されているが、この場合、角度α＝α１＝α２＝１３５°である。２つの第２のアーム２１及び２２は、第１のアーム２０の一端に設けられた２つの離隔した軸２３及び２４の回りを回転できるように装着されており、使用しない位置においては２つのアーム２１及び２２を第１の共通アーム２０の側面上に折り返すようにこれらを回転させることができる。これにより、使用しない場合に容易に持ち運びできるコンパクトなシステムを提供することができる。
【００３０】
図１３は、Ａが角度α＝９０°の場合及びＢが角度α＝１３５°の場合であり、図１２のアンテナシステムについてインピーダンスマッチング回路がない場合の２つのアンテナ間のインピーダンスマッチング特性及びアイソレーション特性をそれぞれ示している。このアンテナは、中心動作周波数付近で自然にインピーダンスマッチングしているが、角度αの２つの値について全ＵＨＦ帯域にわたってインピーダンスマッチングしてはいない。２つの角度値αについてのアイソレーションの差は、アンテナシステムのパターンの相関に比例している。使用されている周波数チャネルに応じて、アイソレーションは調整可能であり、従って、ダイバーシチを用いることで求められる効果が向上する。
【００３１】
同様に、図１４は、Ａが角度α＝９０°の場合及びＢが角度α＝１３５°の場合であり、このアンテナシステムの出力にインピーダンスマッチング回路が接続されている場合の２つのアンテナ間のインピーダンスマッチング特性及びアイソレーション特性をそれぞれ示している。このインピーダンスマッチング回路は、本出願が対象とする典型的な値であるＳ１１の−６ｄＢのレベルで考慮すると、インピーダンスマッチング帯域幅を広げることができる。図１３のアイソレーションに関して述べたことは、この場合も適用される。
【００３２】
図１５は上述したアンテナシステムの２つのアンテナの効率特性を示しており、図１６はゲイン特性を示している。アンテナシステムの効率は、ほぼ全てのＵＨＦ帯域にわたって６０％より高く、これは本願の対象に良好な性能を与えることとなる。ＵＨＦ帯域全体にわたって約０．５ｄＢｉの平均ゲインを得ることは、６０％の効率を有するこの型のアンテナについて３ｄＢｉの指向性を有することに相当する。
【００３３】
以下、図１７及び図１８を参照して、本発明におけるアンテナシステムの他の実施形態について説明する。この実施形態では、第１のアームである共通アーム３０は、主軸ｘ−ｘを備えた明らかな楕円形状を有している。主軸ｘ−ｘの一方の端の近傍に、２つのダイポール型アンテナである２つの第２のアンテナ３１及び３２が、２つの別個の軸３３及び３４によって装着されている。これら２つのアームは、半楕円の形状を有している。２つのアーム３１及び３２は、共通アーム３０の上側面及び下側面上にそれぞれ折り返され得るように、回転可能に装着されている。この型の２つのアンテナのシステムについてシミュレーションが行われ、図１８はその結果としてのインピーダンスマッチング特性及びアイソレーション特性を示している。このシミュレーションの条件は以下の通りである。１）使用した材料は導電率４．９×１０７Ｓ／ｍの銅であり、２）アーム３０、３１及び３２についての楕円の２つの軸は２５ｍｍ及び５０ｍｍの寸法をそれぞれ有しており、３）ボックスの厚さは厚さ１０ｍｍの電子カードが挿入可能なように１２ｍｍである。
【００３４】
次に、図１９及び図２０を参照して、図９に示したものと同じ型のアンテナシステムの他の実施形態について説明する。
【００３５】
図１９において、本発明のダイバーシチアンテナシステムは、長円ボックス形状の第１の共通アーム４０を備えている。ボックス４０の一端に、本発明のアンテナシステムを構成する２つのダイポールアンテナを得るための１番目の第２のアーム４１及び２番目の第２のアーム４２をそれぞれ装着した２つの別個の軸４３及び４４が設けられている。長円形状のこれらアーム４１及び４２は、軸４３及び４４の回りを回転可能であり、ボックスを形成する第１の共通アーム４０の側面上に折り返し可能となっている。
【００３６】
図２０には、本発明のアンテナシステムのさらに他の実施形態が示されている。この実施形態では、アンテナシステムは第１の共通アーム５０を備えている。このアームは、図９の実施形態における第１のアーム３０と同じ形状を有している。アーム５０のテーパ状の一端において、２つの別個の回転軸５３及び５４には１番目の第２のアーム５１及び２番目の第２のアーム５２がそれぞれ装着されている。１番目の第２のアーム５１は、第１のアーム５０の側面上に折り返すことができる部分を有している。この部分５１は、アーム５０の下に折り返すことができる矩形部分５１′によって垂直方向に延長されている。２番目の第２のアーム５２は、アーム５０の側面上に折り返すことができる主たる部分５２を有しており、この部分５２はアーム５０の上に折り返すことができる垂直方向矩形部分５２′によって延長されている。
【００３７】
次に、図２１を参照して、本発明におけるアンテナシステムの第１の共通アームによって構成されるカバーの下に又はボックスに一体化可能な電子カードの実施形態を説明する。この電子カードは、図示したように、本発明のアンテナシステムのアンテナの１つに１Ａの位置で接続される第１のＬＮＡ増幅器（低雑音増幅器）１００を備えている。ＬＮＡ増幅器１００は、復調器１０２に接続されたチューナ１０１に接続されている。さらに、電子カードは、第２のアンテナに１Ｂの位置で接続される第２のＬＮＡ増幅器１１０を備えている。ＬＮＡ増幅器１１０は、復調器１１２に接続されたチューナ１１１に接続されている。両方の復調器１０２及び１１２は、ここで示す実施形態では１１２であるマスタ復調器と、ここで示す実施形態では１０２であるスレーブ復調器とを有するように相互接続されている。マスタ復調器１１２の出力は、アンテナシステムを、ラップトップコンピュータ即ちＰＣ又は他の同様な型の装置のような携帯端末のＵＳＢソケットに接続可能な、ＵＳＢコネクタ１３０に接続されたＵＳＢインタフェース１２０に接続されている。
【００３８】
次に、図２２及び図２３を参照して、上述したアンテナシステム用の支持体の実施形態を説明する。図示されているように、支持体は、ボックス形状を有しており、本発明のアンテナシステムの共通アーム１０を受容するエレメント２１０を備えている。エレメント２１０は、上述したアームを受けるのに適切な上側開口２１１と、ＵＳＢコネクタのような、携帯装置のコネクタに接続可能な下側開口とを備えている。エレメント２１０は、このアンテナ支持体を装置により特定的にはラップトップコンピュータのスクリーン３００に取付けることを可能とする取付け手段２００に、その軸２１２の回りを回転できるように装着される。
【００３９】
取付け手段２００は、その上にボックス２１０の形状のエレメントが装着されるＬ形状エレメント２０１を備えている。Ｌ形状エレメントの垂直部分は、スライドを構成する開口２０２を有している。このスライドには、第２のＬ形状エレメント２０３が挿入され、これら２つのＬ形状エレメント２０１及び２０３は、スクリーン３００への把持クランプを構成している。エレメント２０３は、スライドに挿入される部分に図示しない長円の孔を具備している。エレメント２０３が適切に挿入された場合、エレメント２０３とエレメント２０１との距離が、締付けねじ又はこれと同様なもの等の締付け手段２０４によって保持される。さらに、支持体をスクリーン上に効果的に保持するため、第２のＬ形状エレメントの自由端部分が内側に湾曲して把持効果を高めている。
【００４０】
上述したように、あらゆる型のスクリーンにも調整して支持体をスクリーンに締付ける第１の調整を行うことが可能である。スクリーン３００と支持体との間で機械的な連結がなされると、アンテナが所定チャネルの受信品質が最適となる方向に向くように、アンテナシステムを受容したエレメント２１０をピン２１２に関して回転させることにより第２の調整を行うことが可能となる。
【図面の簡単な説明】
【００４１】
【図１】本出願人によって出願された特許文献１に記載されたアンテナの斜視図である。
【図２】図１のアンテナの第２のアーム２の種々の位置におけるゲイン輻射パターンを示す図である。
【図３】本発明におけるアンテナシステムの第１の実施形態の斜視図である。
【図４】図３のアンテナシステムにおいてインピーダンスマッチング回路がない場合のインピーダンスマッチング特性及びアイソレーション特性を表わす図である。
【図５】図３のアンテナシステムにおいてインピーダンスマッチング回路がある場合のインピーダンスマッチング特性及びアイソレーション特性を表わす図である。
【図６】角度α１＝０°及び角度α２＝９０°の場合の図３のアンテナシステムの輻射パターンをそれぞれ示す図である。
【図７】インピーダンスマッチング回路がある場合であって、α１＝０°及びα２＝９０°の場合のＵＨＦ帯域幅の図３のアンテナシステムの効率を示す図である。
【図８】インピーダンスマッチング回路がある場合であって、α１＝０°及びα２＝９０°の場合のＵＨＦ帯域幅の図３のアンテナシステムのゲインを示す図である。
【図９】本発明におけるアンテナシステムの第２の実施形態における、それぞれ、Ａが平面図及びＢが斜視図である。
【図１０】角度α＝１３５°の場合の図９のアンテナシステムにおいて、ポート１へ給電及びポート２への給電した際の輻射パターンをそれぞれ示す図である。
【図１１】角度α＝９０°の場合の図９のアンテナシステムにおいて、ポート１へ給電及びポート２への給電した際の輻射パターンをそれぞれ示す図である。
【図１２】Ａが角度α＝α１＝α２＝９０°の場合及びＢが角度α＝α１＝α２＝１３５°の場合それぞれの図９のシステムにおけるアンテナシステムの斜視図である。
【図１３】Ａが角度α＝９０°の場合及びＢが角度α＝１３５°の場合それぞれの図１２のアンテナシステムのインピーダンスマッチング特性及びアイソレーション特性を表わす図である。
【図１４】インピーダンスマッチング回路がある場合であって、Ａが角度α＝９０°の場合及びＢが角度α＝１３５°の場合それぞれの図１２のアンテナシステムのインピーダンスマッチング特性及びアイソレーション特性を表わす図である。
【図１５】図１２のアンテナシステムの効率特性を示す図である。
【図１６】図１２のアンテナシステムのゲイン特性を示す図である。
【図１７】本発明におけるアンテナシステムの他の実施形態を示す図である。
【図１８】図１７のアンテナシステムについて得られたシミュレーション結果を示す図である。
【図１９】本発明におけるアンテナシステムのさらに他の実施形態の斜視図である。
【図２０】本発明におけるアンテナシステムのまたさらに他の実施形態における、それぞれ、Ａが平面図及びＢが斜視図である。
【図２１】本発明におけるアンテナシステムと共に用いられる電子カードを示す図である。
【図２２】本発明におけるアンテナシステム用の支持体を示す斜視図である。
【図２３】図２２の支持体の拡大斜視図である。
【符号の説明】
【００４２】
１  第１の導電性アーム
１ａ、２０ａ  矩形形状の部分
１ｂ、２０ｂ  湾曲した部分
２  第２の導電性アーム
３  連結領域、軸
１０、２０、３０、４０、５０  第１の共通アーム
１０ａ  カバー
１０ｂ  下側部分
１１、１２、２１、２２、３１、３２、４１、４２、５１、５２  第２のアーム
２３、２４、３３、３４、４３、４４、５３、５４  回転軸
５１′、５２′  矩形部分
１００、１１０  ＬＮＡ増幅器
１０１、１１１  チューナ
１０２、１１２  復調器
１２０  ＵＳＢインタフェース
１３０  ＵＳＢコネクタ
２００  取付け手段
２０１、２０３  Ｌ形状エレメント
２０２  開口
２０４  締付け手段
２１０  エレメント
２１１  上側開口
２１２  軸、ピン
３００  スクリーン
【図１】
2009504042.tif 000003
【図２】
2009504042.tif 000004
【図３】
2009504042.tif 000005
【図４】
2009504042.tif 000006
【図５】
2009504042.tif 000007
【図６】
2009504042.tif 000008
【図７】
2009504042.tif 000009
【図８】
2009504042.tif 000010
【図９】
2009504042.tif 000011
【図１０】
2009504042.tif 000012
【図１１】
2009504042.tif 000013
【図１２】
2009504042.tif 000014
【図１３】
2009504042.tif 000015
【図１４】
2009504042.tif 000016
【図１５】
2009504042.tif 000017
【図１６】
2009504042.tif 000018
【図１７】
2009504042.tif 000019
【図１８】
2009504042.tif 000020
【図１９】
2009504042.tif 000021
【図２０】
2009504042.tif 000022
【図２１】
2009504042.tif 000023
【図２２】
2009504042.tif 000024
【図２３】
2009504042.tif 000025
【国際調査報告】
2009504042.tif 000026
2009504042.tif 000027
2009504042.tif 000028
2009504042.tif 000029
2009504042.tif 000030
2009504042.tif 000031